(57)【要約】【課題】  センター装置側から光加入者端末装置の増幅手段を遠隔制御する。【解決手段】  センター装置２では、テレビジョン信号源４からのテレビジョン信号に基づく光テレビジョン信号を含む光信号を光送信部８が光ファイバ１０に供給する。光ファイバ１０の端末に設けられた光加入者端末装置１２において、フォトダイオード１４が光信号を受けて、受信テレビジョン信号を含む受信信号を生成し、増幅部２６で増幅される。センター装置２の光送信部８に、増幅部２６の制御用データもデータ送出部４４から供給される。光信号には制御用データに基づく光制御用データが含まれる。光加入者端末装置１２のフォトダイオード１４の受信信号には、制御用データに対応する受信制御用データが含まれ、この受信制御用データに基づいてＣＰＵ３４が、増幅部２６を制御する。【選択図】        図１
2008092499.tif 000002
【特許請求の範囲】
【請求項１】
テレビジョン信号源からのテレビジョン信号に基づく光テレビジョン信号を含む光信号を光送信手段が出力するセンター装置と、
前記光信号を伝送する光伝送路と、
この光伝送路の端末において、前記光伝送路を伝送された光信号を受けて、前記テレビジョン信号に対応する受信テレビジョン信号を含む受信信号を受光手段が生成し、この受光手段からの受信信号を増幅手段が増幅する光加入者端末装置とを、
具備し、
前記センター装置において前記光送信手段には、前記増幅手段の制御用データも供給され、前記光送信手段からの光信号には、前記制御用データに基づく光制御用データが含まれ、
前記光加入者端末装置において、前記受光手段からの受信信号には、前記制御用データに対応する受信制御用データが含まれ、この受信制御用データに基づいて制御手段が、前記増幅手段を制御する
光加入者端末装置の遠隔制御装置。
【請求項２】
請求項１記載の光加入者端末装置の遠隔制御装置において、前記制御データは、前記増幅手段の自動利得制御用データである光加入者端末装置の遠隔制御装置。
【請求項３】
請求項２記載の光加入者端末装置の遠隔制御装置において、前記制御用データは、前記光送信手段からの光信号の変調度を基に生成される光加入者端末装置の遠隔制御装置。
【請求項４】
請求項１記載の光加入者端末装置の遠隔制御装置において、前記制御データは、前記増幅手段の動作開始指示及び動作停止指示のいずれかを表すデータである光加入者端末装置の遠隔制御装置。
【請求項５】
テレビジョン信号源と、
このテレビジョン信号源からのテレビジョン信号に基づく光テレビジョン信号を含む光信号を、光伝送路に出力する光送信手段と、
前記光伝送路の端末に接続される光加入者端末装置内の増幅手段の制御用データを前記光送信手段に供給し、前記光送信手段からの光信号に前記制御用データに基づく光制御用データを含ませる制御データ発生手段とを、
具備するセンター装置。
【請求項６】
請求項５記載のセンター装置において、前記制御データは、前記増幅手段の自動利得制御用データであるセンター装置。
【請求項７】
請求項６記載のセンター装置において、前記制御データ発生手段は、前記光送信手段からの光信号の変調度を基に前記制御用データを生成するセンター装置。
【請求項８】
請求項５記載のセンター装置において、前記制御データは、前記増幅手段の動作指示及び停止指示のいずれかを表すデータであるセンター装置。
【請求項９】
センター装置の光送信手段が光伝送路に供給した光信号を受けて、受信信号を生成する受光手段と、
この受光手段からの受信信号を増幅する増幅手段と、
この増幅手段を制御する制御手段とを、
具備し、前記光信号には、テレビジョン信号源からのテレビジョン信号に基づく光テレビジョン信号と、前記増幅手段の制御用データに基づく光制御用データとが含まれ、
前記受光手段からの受信信号には、前記光テレビジョン信号に基づいて生成された、前記テレビジョン信号に対応する受信テレビジョン信号と、前記光制御用データに基づいて生成された、前記制御用データに対応する受信制御用データが含まれ、
この受信制御用データに基づいて制御手段が、前記増幅手段を制御する
光加入者端末装置。
【請求項１０】
請求項９記載の光加入者端末装置において、前記制御手段は、前記増幅手段の自動利得制御用の基準値を前記受信制御用データに基づいて制御する光加入者端末装置。
【請求項１１】
請求項９記載の光加入者端末装置において、前記制御手段は、前記増幅手段の動作開始及び動作停止を制御する光加入者端末装置。
【発明の詳細な説明】
【技術分野】
【０００１】
本発明は、光伝送路を用いてテレビジョン信号を伝送する際に、その光伝送路の端末に設置される光加入者端末装置を遠隔制御する遠隔制御装置に関し、更に、この遠隔制御装置において使用されるセンター装置及び光加入者端末装置に関する。
【背景技術】
【０００２】
従来、光伝送路を用いたテレビジョン信号の伝送システムとしては、例えば特許文献１に開示されているものがある。特許文献１の技術によれば、その図１に示されているようにセンター装置において各テレビジョン信号の合成信号が光送信機に供給され、光信号に変換され、光ファイバ線路を介して光受信機に供給され、ここで元のテレビジョン信号に戻される。光受信機では、テレビジョン信号のチャンネル数に応じて光信号の変調度がＡＧＣ制御されている。
【０００３】
【特許文献１】特開平８−４６５７５号公報
【発明の開示】
【発明が解決しようとする課題】
【０００４】
特許文献１の技術のように光送信機側でＡＧＣ制御を行った場合、光受信機の受光素子等の影響により光受信機側で所望のレベルのテレビジョン信号を再生することができないことがある。このような場合に備えて、光受信機にＡＧＣを設けることが望ましい。その場合、光送信機での光変調度が変化した場合、その光変調度の変化に対応した基準信号を設定できないと、歪みが発生したり、Ｃ／Ｎ比が劣化したりする。従って、光送信機側での光変調度の変化に従って光受信機側でのＡＧＣ制御の基準値を自動的に変更できることが望ましい。
【０００５】
また、このような伝送システムでは、多数の光受信機が使用されるが、これら光受信機の中には、契約の変更等によってテレビジョン信号の受信を不能にする必要が生じるものがある。この場合、従来では、作業員が契約変更された光受信機の設置場所まで出向き、受信不能な状態に設定する必要があった。しかし、この作業は面倒である。
【０００６】
本発明は、センター装置側から光受信機に相当する光加入者端末装置の増幅手段を遠隔制御することができる光加入者端末装置の遠隔制御装置を提供することを目的とする。また、本発明は、この装置に適したセンター装置及び光加入者端末装置を提供することも目的とする。
【課題を解決するための手段】
【０００７】
本発明の一態様の光加入者端末装置の遠隔制御装置では、センター装置が備える光送信手段が、テレビジョン信号源からのテレビジョン信号に基づく光テレビジョン信号を含む光信号を出力する。前記光信号が光伝送路を介して伝送される。この光伝送路の端末に光加入者端末装置が設けられている。光加入者端末装置は、光伝送路の複数の端末に設置することができる。光加入者端末装置では、前記光伝送路を伝送された光信号を受けて、前記テレビジョン信号に対応する受信テレビジョン信号を含む受信信号を受光手段が生成し、この受光手段からの受信信号を増幅手段が増幅する。前記センター装置において前記光送信手段には、前記増幅手段の制御用データも供給され、前記光送信手段からの光信号には、前記制御用データに基づく光制御用データが含まれる。前記光加入者端末装置において、前記受光手段からの受信信号には、前記制御用データに対応する受信制御用データが含まれ、この受信制御用データに基づいて制御手段が、前記増幅手段を制御する。なお、光加入者端末装置が異なる端末ごとに設けられる場合、制御用データには、各光端末装置を識別する識別符号、例えばアドレスが含まれ、光加入者端末装置では、受信された制御データに含まれる識別符号が自己に割り当てられている識別符号に一致する場合に、増幅手段の制御を行う。
【０００８】
このように構成すると、センター装置からの光制御データに応じて、光加入者端末装置の増幅手段を制御することができる。
【０００９】
例えば、前記制御データが、前記増幅手段の自動利得制御用データであると、増幅手段の自動利得制御の状態をセンター装置側で遠隔制御できる。具体的には、前記制御用データが、前記光送信手段からの光信号の変調度を基に生成される場合、自動利得制御に用いる基準信号を光信号の変調度の変化に従って変更することができ、歪みの発生やＣ／Ｎ比の劣化を防止することができる。
【００１０】
或いは、前記制御データが、前記増幅手段の動作開始指示及び動作停止指示のいずれかを表すデータであると、光加入者端末装置の設置場所の契約者が、契約を解除した場合、動作停止指示をセンター装置から与えることによってテレビジョン信号の受信を不能とすることができ、また再契約した場合には、動作開始指示をセンター装置から与えることによって受信を可能にすることができる。このような作業を作業員を派遣することなく、センター装置からの指示のみで行える。
【００１１】
本発明の一態様のセンター装置は、テレビジョン信号源を有している。このテレビジョン信号源からのテレビジョン信号に基づく光テレビジョン信号を含む光信号を、光伝送路に出光送信手段力する。制御データ発生手段が、前記光伝送路の端末に接続される光加入者端末装置内の増幅手段の制御用データを前記光送信手段に供給する。これによって、前記光送信手段からの光信号に前記制御用データに基づく光制御用データが含まれる。
【００１２】
このように構成することによって光加入者端末装置を遠隔制御することができる。例えば、前記制御データが、前記増幅手段の自動利得制御用データであると自動利得制御を制御することができるし、具体的に、前記制御データ発生手段が、前記光送信手段からの光信号の変調度を基に前記制御用データを生成すると、光加入者端末装置の自動利得制御に持ちいる基準信号を変調度に応じて変更することが可能となり、歪みの発生やＣ／Ｎ比の劣化を防止することができる。
【００１３】
或いは、前記制御データが、前記増幅手段の動作指示及び停止指示のいずれかを表すデータである場合には、光加入者端末装置の設置場所の契約者が、契約を解除した場合や再契約した場合に、作業員を派遣することなく、センター装置からの指示のみで、テレビジョン信号の受信を不能としたり、受信可能にしたりすることができる。
【００１４】
本発明の一態様の光加入者端末装置では、センター装置の光送信手段が光伝送路に供給した光信号を受けて、受信信号を受光手段が生成する。受光手段からの受信信号を増幅手段が増幅する。この増幅手段を制御手段が制御する。前記光信号には、テレビジョン信号源からのテレビジョン信号に基づく光テレビジョン信号と、前記増幅手段の制御用データに基づく光制御用データとが含まれている。受光手段からの受信信号には、前記光テレビジョン信号に基づいて生成された、前記テレビジョン信号に対応する受信テレビジョン信号と、前記光制御用データに基づいて生成された、前記制御用データに対応する受信制御用データが含まれている。この受信制御用データに基づいて制御手段が、前記増幅手段を制御する。
【００１５】
このように構成すると、光加入者端末装置の増幅手段をセンター装置から遠隔制御することができる。例えば、前記制御手段が、前記増幅手段の自動利得制御用の基準値を前記受信制御用データに基づいて制御する場合、自動利得制御の基準値を遠隔制御することができる。或いは、前記制御手段が、前記増幅手段の動作開始及び動作停止を制御することができる。
【発明の効果】
【００１６】
以上のように、本発明によれば、センター装置から光加入者端末装置を遠隔制御することができ、例えば自動利得制御における基準値をセンター装置側の光送信機の光変調度に応じて変化させたり、増幅手段の動作開始、停止をセンター装置側で制御することができる。
【発明を実施するための最良の形態】
【００１７】
本発明の１実施形態の光加入者端末装置の遠隔制御装置は、図１に示すようにセンター装置２を有している。このセンター装置２は、例えばヘッドエンド装置等に設けられ、テレビジョン信号源４を有している。このテレビジョン信号源４は、例えばＵＨＦ帯、ＶＨＦ帯の複数の地上波テレビジョン放送信号、共同聴視装置の自主放送信号、衛星放送及び衛星通信信号の例えば１ＧＨｚ帯の中間周波信号等からなるテレビジョン信号を出力する。このテレビジョン信号は、合成器６を介して光送信手段、例えば光送信部８に供給される。光送信部８は、テレビジョン信号を光テレビジョン信号に変換して、光伝送路、例えば光ファイバ１０に供給する。
【００１８】
この光テレビジョン信号は、家庭に配置されている光加入者端末装置１２に供給される。図１では、光ファイバ１０を１本だけ示し、その両端にセンター装置２と光加入者端末装置１２が接続されているように示したが、実際には、光ファイバ１０は、途中で複数のアクセスポイント等を介して多数に分岐され、それら分岐された光ファイバの端末にそれぞれ光加入者端末装置１２が接続されている。或いは、各アクセスポイントで分岐した光ファイバをさらにカプラやクロージャを介して更に分岐し、その分岐された各光ファイバの端末に光加入者端末装置１２を接続する。
【００１９】
光加入者端末装置１２は、受光素子、例えばフォトダイオード１４を有し、そのカソードは高周波阻止コイル１６を介して＋Ｖの電圧が供給され、アノードは負荷抵抗器１８を介して基準電位、例えば接地電位に接続されている。このように接続されることによってフォトダイオード１４には逆バイアスが供給されている。光テレビジョン信号がフォトダイオードに入射することによってフォトダイオード１４には光テレビジョン信号に対応した電流が流れ、これが直流阻止コンデンサ２０を介して増幅手段、例えば増幅器２２で増幅される。この増幅器２２の出力信号は、テレビジョン信号源４のテレビジョン信号に対応したもので、以下受信テレビジョン信号と称する。この受信テレビジョン信号は、分岐手段、例えば１分岐器２４を介して増幅手段、例えばＡＧＣ付き２段増幅部２６に供給される。
【００２０】
この増幅部２６は、減衰手段、例えばＰＩＮダイオードを含む減衰器２８を入力側に有し、この減衰器２８の出力信号が２段の増幅器３０、３２によって増幅され、出力される。減衰器２８の減衰量を調整するために、制御手段、例えばＣＰＵ３４が設けられている。ＣＰＵ３４には、負荷抵抗器１８の両端間電圧、即ち、受信テレビジョン信号に対応する電圧がＡ／Ｄ変換器３６によってデジタル化されて、供給されている。ＣＰＵ３４は、このデジタル信号と、予め定めた基準値を比較し、両者の差が少なくなるように減衰器２８を制御するための制御信号を発生する。この制御信号は、Ｄ／Ａ変換器３８によってアナログ信号に変換され、オン／オフ回路３９、バッファ４０を介して減衰器２８に供給される。オン／オフ回路３９は、ＣＰＵ３４によって制御され、減衰器２８の制御を行う際にオンとされ、制御を行わない際にオフとされる。
【００２１】
ところで、センター装置２のテレビジョン信号源４からのテレビジョン信号の数が例えば増減することがある。この場合、光送信部８から出力される光テレビジョン信号の光変調度が変化する。光変調度が変化しているにも拘わらず、光加入者端末装置１２のＣＰＵ３４がＡＧＣ制御に使用する基準値を一定値に固定していると、増幅器３２から出力される増幅された受信テレビジョン信号はＣ／Ｎ比が劣化したり、歪みを含んだものとなる。このＣ／Ｎ比の劣化や歪みの発生を防止するために、センター装置２側から光変調度の変化に伴う基準値変更指示が光加入者端末装置１２に供給される。
【００２２】
そのため、光送信部８からセンター装置２内の制御部４２に光変調度を表す光変調度データが供給される。制御部４２は、この光変調度データを制御データ生成部、例えばデータ送出部４４に供給する。データ送出部４４は、この光変調度データで所定周波数の搬送波を変調して、例えば、ＦＳＫ変調して、変調信号を生成する。この変調信号は合成器６によってテレビジョン信号と合成され光送信部８に供給される。従って、光送信部８は光テレビジョン信号の他に、変調信号に基づく光制御データ、例えば光変調信号も発生する。この光テレビジョン信号と光変調信号とからなる光信号が光ファイバ１０を介して各加入者端末装置１２に供給される。
【００２３】
各加入者端末装置１２において、フォトダイオード１４に流れる電流に基づいて増幅器２２が出力信号は、受信テレビジョン信号に加えて、光変調信号に対応する受信変調信号が含まれた受信信号である。この受信信号は、１分岐器２４を介してデータ復調部４６に供給され、ここで受信信号から受信変調信号が抽出される。抽出された受信変調信号から、受信制御データ、例えば変調度データに対応する受信変調度データが復調されて、ＣＰＵ３４に供給される。
【００２４】
ＣＰＵ３４では、図示していない記憶手段に、様々な受信変調度データと、これらにそれぞれ対応する基準信号とを、対応させて記憶したデータベースが構築されており、データ復調部４６から受信変調度データが供給されると、これに対応する基準信号をデータベースから選択し、これをＡＧＣの基準信号として使用する。従って、センター装置２側で光変調度が変化したとしても、その変化に対応した基準信号が自動的に各光加入者端末装置で使用される。従って、光変調度の変化に基づくＣ／Ｎ比の劣化や歪みの発生を防止することができる。
【００２５】
また、光加入者端末装置１２は、各家庭に設置されているが、今まで光加入者端末装置１２を利用した受信契約を結んでいたのに、その受信契約を解除する家庭がある。或いは、新たに受信契約を結んだ家庭もある。受信契約を解除した家庭では、契約満了日以後に、光加入者端末装置１２を使用しての受信を不能とする必要がある。また、受信契約を新たに結んだ家庭には、受信契約の発行日から受信可能とする必要がある。
【００２６】
そこで、各光加入者端末装置１２では、増幅器３０、３２への電源電圧、例えば＋Ｖの供給路中にオン／オフ回路４８、５０が設けられている。オン／オフ回路４８、５０が、第１の状態、例えばオン状態にあると、＋Ｖの電圧が増幅器３０、３２に供給され、増幅器３０、３２が動作を開始する。従って、受信テレビジョン信号を外部に出力することができる。オン／オフ回路４８、５０が、第２の状態、例えばオフ状態にあると、＋Ｖの電圧の増幅器３０、３２への供給が絶たれ、増幅器３０、３２は、動作を停止し、受信テレビジョン信号を外部へ出力することが停止される。このオン／オフ回路４８、５０のオン状態またはオフ状態への切換は、ＣＰＵ３４が行う。
【００２７】
ＣＰＵ３４が、この切換制御を行うために、センター装置２の制御部４２には、外部から制御データとして、増幅器制御データが供給される。増幅器制御データは、増幅器３０、３２をオンするかオフするかの指示と、オンまたはオフされる増幅器３０、３２が含まれる光加入者端末装置１２を指示するデータとを含んでいる。この増幅器制御データが、データ送出部４４に供給され、上述したのと同様にして搬送波をＦＳＫ変調した光変調信号が各光加入者端末装置１２に伝送される。
【００２８】
各光加入者端末装置１２では、上述したのと同様にして、光変調信号から増幅器制御データに相当する受信増幅器制御データがデータ復調部４６で復調され、ＣＰＵ３４に出力される。ＣＰＵ３４は、受信増幅制御データに含まれている光加入者端末装置を指示するデータが、自己に割り当てられている光加入者端末装置を指示するデータと一致するか判断し、一致する場合には、受信増幅器制御データに含まれているオンまたはオフの指示に従ってオン／オフ回路４８、５０を制御する。また、光加入者端末装置を指示するデータが自己に割り照られている光加入者端末装置を指示するデータと一致しない場合には、オン／オフ回路４８、５０の制御は行わない。
【００２９】
なお、制御部４２は、変調度データと増幅器制御データとが同時にデータ送出部４４に供給された場合、変調度データと増幅器制御データとに基づく光変調信号を光送信部８が送信する。
【００３０】
上記の実施形態では、制御部４２から変調度データをデータ送出部４４に供給したが、制御部４２に様々な光変調度とこれらにそれぞれ対応する基準信号とを対応づけたデータベースを構築しておき、光送信部８から変調度データが供給されたとき、その変調度データに対応する基準信号を選択し、この基準信号をデータ送出部４４に供給し、基準信号で搬送波を変調して変調信号を生成し、この変調信号に基づく光変調信号を光送信部８から各光加入者端末装置１２に伝送し、各光加入者端末装置１２では、この光変調信号に基づく受信変調信号から受信基準信号にデータ復調部４６で復調し、この受信基準信号をＣＰＵ３４においてＡＧＣの基準信号として使用することもできる。この場合、ＣＰＵ３４にはデータベースは不要となる。
【００３１】
上記の実施形態では、各増幅器３０、３２にオン／オフ回路４８、５０を設けたが、増幅器３０、３２に共通に１台のオン／オフ回路を設け、これによって両方の増幅器３０、３２の電源供給開始、停止を制御することもできる。また、電源供給開始、停止ではなく、増幅器３０の減衰器２８からの信号の供給の開始、停止の制御をオン／オフ回路によって行うこともできるし、同様に増幅器３２の出力信号の出力の開始、停止をオン／オフ回路によって行うこともできる。また、バッファ４０の入力側にオン／オフ回路３９を設けたが、場合によっては不要である。
【００３２】
上記の実施形態では、増幅器２２で増幅するフォトダイオード１４を流れる電流は、フォトダイオード１４のカソードから取り出したが、フォトダイオード１４のアノード側から取り出すこともできる。同様に、ＡＧＣ制御用に負荷抵抗器１８の両端間電圧をＡ／Ｄ変換したが、フォトダイオード１４のカソードと接地電位との間の電圧をＡ／Ｄ変換することもできる。また、フォトダイオード１４を使用したが、これに代えてフォトトランジスタを使用することもできる。
【図面の簡単な説明】
【００３３】
【図１】本発明の１実施形態の光加入者端末装置の遠隔制御装置のブロック図である。
【符号の説明】
【００３４】
２  センター装置
４  テレビジョン信号源
８  光送信部（光送信手段）
１０  光ファイバ（光伝送路）
１２  光加入者端末装置
１４  フォトダイオード（受光手段）
２６  ＡＧＣ付き２段増幅部（増幅部）
３４  ＣＰＵ（制御手段）
４６  データ復調部（制御手段）
【図１】
2008092499.tif 000003